(57)【要約】  構造を簡素化して、小型化及び軽量化することができ、且つ操作性の向上を図ることができるスライドファスナー用スライダーを提供する。  一対のファスナーエレメントを噛合・分離させるスライダー本体１１と、スライダー本体１１の引手取付部２０，２１に取り付けられる引手１２と、一端がファスナーエレメントに係止してスライダー本体１１の移動を阻止する停止爪１３と、を備え、ばね部３２と、引手１２が、スライダー本体１１の一方側に平伏する平伏状態から起立状態に回動するとき、ばね部３２の弾性力により引手１２を平伏状態に戻す方向に付勢するカム部４５と、起立状態からの引手１２の更なる回動を阻止する規制部３０，４７と、を備え、スライダー本体１１の他方側に平伏することを阻止する。
2012042620.tif 000002
【特許請求の範囲】
【請求項１】
一対のファスナーエレメントを噛合・分離させるスライダー本体（１１，５１，７１）と、
前記スライダー本体の引手取付部に取り付けられる引手（１２，１２Ａ，１２Ｂ，１２Ｃ）と、
一端が前記ファスナーエレメントに係止して前記スライダー本体の移動を阻止する停止爪（１３，６１）と、を備えるスライドファスナー用スライダー（１０，５０，６０，７０）であって、
ばね部（３２，６２）と、
前記引手が、前記スライダー本体の一方側に平伏する平伏状態から起立状態に回動するとき、前記ばね部の弾性力により前記引手を前記平伏状態に戻す方向に付勢するカム部（４５）と、
前記起立状態からの前記引手の更なる回動を阻止する規制部（３０，４７，４７Ｂ，２０ｃ，５３，７３，７７）と、を備え、前記スライダー本体の他方側に平伏することを阻止することを特徴とするスライドファスナー用スライダー。
【請求項２】
前記規制部（３０，４７，４７Ｂ，２０ｃ，５３，７３，７７）は、
前記引手（１２，１２Ａ，１２Ｂ，１２Ｃ）に形成される引手側規制部（４７，４７Ｂ，７３）と、
前記スライダー本体（１１，５１，７１）に形成されるスライダー側規制部（３０，２０ｃ，５３，７７）と、から構成され、
前記引手側規制部と前記スライダー側規制部が当接することにより、前記引手の前記起立状態からの更なる回動を阻止することを特徴とする請求項１に記載のスライドファスナー用スライダー（１０，５０，６０，７０）。
【請求項３】
前記引手（１２，１２Ａ，１２Ｂ，１２Ｃ）は、軸部（４１）と、前記軸部に連結される一対の連結杆（４２）と、前記一対の連結杆に連結される掴み部（４３）と、を有し、
前記引手側規制部（４７，４７Ｂ，７３）は、前記引手の前記軸部及び前記連結杆の少なくとも一方に設けられることを特徴とする請求項１又は２に記載のスライドファスナー用スライダー（１０，５０，６０，７０）。
【請求項４】
前記引手側規制部（４７，４７Ｂ）及び前記カム部（４５）は、
前記軸部（４１）、前記連結杆（４２）、及び前記掴み部（４３）により画成される引手開口部（４４）に向けて延設されることを特徴とする請求項１〜３のいずれか１項に記載のスライドファスナー用スライダー（１０，５０，６０）。
【請求項５】
前記規制部（３０，４７，４７Ｂ，２０ｃ，５３，７３，７７）は、
前記ばね部（３２，６２）と前記カム部（４５）との接触位置が、前記カム部のカム面（４５ａ）の始点（ＳＰ）から終点（ＥＰ）の範囲内において、前記引手（１２，１２Ａ，１２Ｂ，１２Ｃ）の回動を阻止することを特徴とする請求項１〜４のいずれか１項に記載のスライドファスナー用スライダー（１０，５０，６０，７０）。
【請求項６】
前記スライダー本体（１１）は、スライダー胴体（１４，１４Ａ）と、前記スライダー胴体に固定されるカバー体（１５）と、から構成され、
前記カバー体は、
前記停止爪（１３，６１）及び前記ばね部（３２，６２）を収容する収容部（２７）と、
前記軸部（４１）と接触して前記引手（１２，１２Ａ，１２Ｂ）を回動自在に保持する仕切板（２９）が設けられる開口部（２８）と、を有し、
前記スライダー側規制部（３０）は、前記開口部の周壁に形成されることを特徴とする請求項１〜５のいずれか１項に記載のスライドファスナー用スライダー（１０，６０）。
【請求項７】
前記スライダー側規制部（２０ｃ）は、前記引手取付部（２０）に設けられることを特徴とする請求項１〜５のいずれか１項に記載のスライドファスナー用スライダー（１０）。
【請求項８】
前記スライダー側規制部（５３，７７）は、前記スライダー本体（５１，７１）の上翼板（１６）に立設されることを特徴とする請求項１〜５のいずれか１項に記載のスライドファスナー用スライダー（５０，７０）。
【請求項９】
前記引手（１２）の軸部（４１）は、前記停止爪（６１）を介して前記ばね部（６２）の弾性力により前記上翼板（１６）に接触して保持されることを特徴とする請求項１〜８のいずれか１項に記載のスライドファスナー用スライダー（６０）。
【請求項１０】
前記平伏状態は、前記引手（１２，１２Ａ，１２Ｂ，１２Ｃ）が前記スライダー本体（１１，５１，７１）の後口側に平伏する状態であり、
前記引手側規制部（４７，４７Ｂ，７３）は、前記平伏状態における前記引手の上面側に形成され、
前記スライダー側規制部（３０，２０ｃ，５３，７７）は、前記引手が前記スライダー本体の肩口方向に回動するとき、前記引手の上面に対向する位置に形成されることを特徴とする請求項１〜９のいずれか１項に記載のスライドファスナー用スライダー（１０，５０，６０，７０）。
【発明の詳細な説明】
【技術分野】
【０００１】
本発明は、スライドファスナー用スライダーに関し、より詳細には、通常時、即ち、スライダーの摺動を行わないとき、スライダー本体に対して引手が平伏状態に保持されるスライドファスナー用スライダーに関する。
【背景技術】
【０００２】
従来、スライダー本体に対して引手を平伏状態に保持するようにしたスライドファスナー用スライダーが知られている（例えば、特許文献１参照）。この特許文献１に記載のスライドファスナー用スライダーは、スライダー胴体の上翼板から突出する軸受に引手を介してピンを嵌挿し、このピンにヒンジばねを設置することにより、ヒンジばねの弾性力で引手を常に平伏状態に維持する。また、スライダー胴体、ばね付き停止爪、カム面が設けられる引手、カム面に弾性力を付与する板ばね、及びスライダー胴体に嵌合して板ばねを収容するカバー体とからなり、カム面に作用する板ばねの弾性力により、引手を常に平伏状態に維持する。
【先行技術文献】
【特許文献】
【０００３】
【特許文献１】日本国特開平３−２９５５０２号公報
【発明の概要】
【発明が解決しようとする課題】
【０００４】
しかしながら、特許文献１に記載のスライドファスナー用スライダーは、構造が複雑であり、また、ヒンジばねを設置可能とするためスライダーが大型化して重量が大きく、小型化することが困難であった。また、自動組み立てを考慮した形状になっておらず、人手による組付け作業となるため、大量生産することが困難であった。また、引手が、後口側、肩口側のいずれの側にも平伏可能であるため、使用法によっては平伏していた引手が立ち上り、勝手にスライダーが移動してしまう可能性があった。【０００５】
本発明は、前述した事情に鑑みてなされたものであり、その目的は、構造を簡素化して、小型化及び軽量化することができ、且つ操作性の向上を図ることができるスライドファスナー用スライダーを提供することにある。
【課題を解決するための手段】
【０００６】
本発明の上記目的は、下記の構成により達成される。
（１）一対のファスナーエレメントを噛合・分離させるスライダー本体と、スライダー本体の引手取付部に取り付けられる引手と、一端がファスナーエレメントに係止してスライダー本体の移動を阻止する停止爪と、を備えるスライドファスナー用スライダーであって、ばね部と、引手が、スライダー本体の一方側に平伏する平伏状態から起立状態に回動するとき、ばね部の弾性力により引手を平伏状態に戻す方向に付勢するカム部と、起立状態からの引手の更なる回動を阻止する規制部と、を備え、スライダー本体の他方側に平伏することを阻止することを特徴とするスライドファスナー用スライダー。
（２）規制部は、引手に形成される引手側規制部と、スライダー本体に形成されるスライダー側規制部と、から構成され、引手側規制部とスライダー側規制部が当接することにより、引手の起立状態からの更なる回動を阻止することを特徴とする（１）に記載のスライドファスナー用スライダー。
（３）引手は、軸部と、軸部に連結される一対の連結杆と、一対の連結杆に連結される掴み部と、を有し、引手側規制部は、引手の軸部及び連結杆の少なくとも一方に設けられることを特徴とする（１）又は（２）に記載のスライドファスナー用スライダー。
（４）引手側規制部及びカム部は、軸部、連結杆、及び掴み部により画成される引手開口部に向けて延設されることを特徴とする（１）〜（３）のいずれか１つに記載のスライドファスナー用スライダー。
（５）規制部は、ばね部とカム部との接触位置が、カム部のカム面の始点から終点の範囲内において、引手の回動を阻止することを特徴とする請求項（１）〜（４）のいずれか１つに記載のスライドファスナー用スライダー。
（６）スライダー本体は、スライダー胴体と、スライダー胴体に固定されるカバー体と、から構成され、カバー体は、停止爪及びばね部を収容する収容部と、軸部と接触して引手を回動自在に保持する仕切板が設けられる開口部と、を有し、スライダー側規制部は、開口部の周壁に形成されることを特徴とする請求項（１）〜（５）のいずれか１つに記載のスライドファスナー用スライダー。
（７）スライダー側規制部は、引手取付部に設けられることを特徴とする（１）〜（５）のいずれか１つに記載のスライドファスナー用スライダー。
（８）スライダー側規制部は、スライダー本体の上翼板に立設されることを特徴とする（１）〜（５）のいずれか１つに記載のスライドファスナー用スライダー。
（９）引手の軸部は、停止爪を介してばね部の弾性力により上翼板に接触して保持されることを特徴とする（１）〜（８）のいずれか１つに記載のスライドファスナー用スライダー。
（１０）平伏状態は、引手がスライダー本体の後口側に平伏する状態であり、引手側規制部は、平伏状態における引手の上面側に形成され、スライダー側規制部は、引手がスライダー本体の肩口方向に回動するとき、引手の上面に対向する位置に形成されることを特徴とする（１）〜（９）のいずれか１つに記載のスライドファスナー用スライダー。
【発明の効果】
【０００７】
本発明のスライドファスナー用スライダーによれば、ばね部と、引手がスライダー本体の一方側に平伏する平伏状態から起立状態に回動するとき、ばね部の弾性力により引手を平伏状態に戻す方向に付勢するカム部と、起立状態からの引手の更なる回動を阻止する規制部と、を備え、スライダー本体の他方側に平伏することを阻止するため、引手の操作時を除いて、常に引手を一方側、例えば、後口側に平伏させた状態に保持することができる。また、引手が反対側、例えば、肩口側に倒れることを防止することができ、操作性を向上することができる。さらに、上記機能が簡素な構造によって達成されるため、スライダーを小型化及び軽量化することができると共に、スライダー１０を自動組立て装置で組み立てることが可能となる。
【図面の簡単な説明】
【０００８】
【図１】本発明に係るスライドファスナー用スライダーの第１実施形態を示す分解斜視図である。
【図２】図１の引手の平面図である。
【図３】図２に示す引手のＡ−Ａ線断面図である。
【図４】図２に示す引手のＢ−Ｂ線断面図である。
【図５】引手が平伏状態のときのスライドファスナー用スライダーの拡大側面図である。
【図６】引手が平伏状態のときのスライドファスナー用スライダーの縦断面図である。
【図７】引手が起立状態のときの、カム部に作用するばね部の弾性力によって、引手が平伏状態側に付勢される状態を示すスライドファスナー用スライダーの拡大縦断面図である。
【図８】規制部によって、起立状態にある引手の回動が阻止される状態を示すスライドファスナー用スライダーの拡大側面図である。
【図９】第１実施形態のスライドファスナー用スライダーの第１変形例を示す拡大側面図である。
【図１０】図９に示すスライドファスナー用スライダーの拡大縦断面図である。
【図１１】第１実施形態のスライドファスナー用スライダーの第２変形例を示す分解斜視図である。
【図１２】図１１に示すスライドファスナー用スライダーの拡大縦断面図である。
【図１３】本発明に係るスライドファスナー用スライダーの第２実施形態を示す分解斜視図である。
【図１４】図１３に示すスライドファスナー用スライダーの縦断面図である。
【図１５】本発明に係るスライドファスナー用スライダーの第３実施形態を示す分解斜視図である。
【図１６】図１５に示すスライドファスナー用スライダーの拡大縦断面図である。
【図１７】本発明に係るスライドファスナー用スライダーの第４実施形態を示す分解斜視図である。
【図１８】図１７に示すスライドファスナー用スライダーの縦断面図である。
【発明を実施するための形態】
【０００９】
以下、本発明に係るスライドファスナー用スライダーの各実施形態について、図面に基づいて詳細に説明する。なお、以後の説明において、スライダーの幅が広い側であってファスナーエレメントが分離して出てくる側を肩口側とし、スライダーの幅が狭い側であってファスナーエレメントが噛合して出てくる側を後口側とする。また、肩口側を前、後口側を後ろとし、スライダーの摺動方向を前後方向、前後方向と直交且つ不図示のファスナーテープと平行な方向を左右方向（幅方向）、前後方向及び左右方向に直交する方向を上下方向とする。
【００１０】
（第１実施形態）
まず、図１〜図１２を参照して、本発明に係るスライドファスナー用スライダーの第１実施形態について説明する。
【００１１】
本実施形態のスライドファスナー用スライダー１０（以下、単にスライダーとも言う）は、図１に示すように、スライダー本体１１と、引手１２と、停止爪１３と、を備える。スライダー本体１１は、スライダー胴体１４とカバー体１５とから構成される。
【００１２】
スライダー胴体１４は、平面視略台形板状に形成され、上下方向に離間して並行に配置される上翼板１６及び下翼板１７と、この上下翼板１６，１７を連結する案内柱１９と、を備える。両翼板１６，１７には、その左右側縁に沿って設けられ、上翼板１６に形成された上フランジと、下翼板１７に形成された下フランジからなる左右一対のフランジ１８を備えている。案内柱１９は、両翼板１６，１７を肩口側の幅方向中央部において連結しており、両翼板１６，１７の間には、案内柱１９を分岐点としたＹ字形のエレメント案内路２４が形成されている。スライダー胴体１４の上翼板１６の上面における前後部位には、前取付柱２０及び後取付柱２１が立設されている。前取付柱２０及び後取付柱２１は後述する引手保持体として構成されるカバー体１５を取り付ける部材として上面に一体的に成形されており、前取付柱２０及び後取付柱２１間には、後述する引手１２の軸部４１が、回動自在に嵌合する空間部としての凹溝２２が形成される。なお、凹溝２２に引手１２の軸部４１が挿入された状態において、前取付柱２０及び後取付柱２１にカバー体１５が取り付けられることによって、前取付柱２０、後取付柱２１、及びカバー体１５が引手取付部となる。
【００１３】
前取付柱２０の前端側左右両側面、及び後取付柱２１の後端側左右両側面には、カバー体１５を加締め固定するための溝２０ａ，２１ａがそれぞれ形成されている。上翼板１６の上面には、前取付柱２０及び後取付柱２１の間に一対の縦壁２１ｂが突設されている。一対の縦壁２１ｂは、後取付柱２１の前端面の左右端部から前取付柱２０の方へ延びており、凹溝２２の手前まで形成されている。また、縦壁２１ｂの上面は、後取付柱２１の上面よりも低く形成されている。一対の縦壁２１ｂの前取付柱２０側の内側面には、それらを連結する連結壁２１ｃが形成されており、一対の縦壁２１ｂ及び連結壁２１ｃにより画成される略コの字状の凹部２３を有する。一対の縦壁２１ｂ、連結壁２１ｃ、及び後取付柱２１により囲まれた上翼板１６には、上翼板１６を上下方向に貫通し、エレメント案内路２４に開口する爪孔３５が形成されている。また、上翼板１６には、案内柱１９の上側であって前取付柱２０よりも前方側に段部２０ｄが形成されており、後述するカバー体１５の前壁突起２５ｅが挿入可能である（図６参照）。
【００１４】
カバー体１５は、略長方形状の天井部２６と、天井部２６の四方から下方に向けて延設されて、左右を囲む略長方形状の側壁２５ａと、前後を囲む略矩形形状の前壁２５ｂ及び後壁２５ｃと、から構成されており、その内部に形成され、停止爪１３を収容する収容部２７（図６参照）を有する。さらに、収容部２７の底面、即ち、天井部２６の裏面には、後述する停止爪１３の第１脚部１３ｂをガイドしながら付勢させるためのガイド溝２６ａが形成されている。また、前壁２５ｂには、後壁２５ｃ及び側壁２５ａよりも長く形成された前壁突起２５ｅが形成されている。また、左右の側壁２５ａには、側壁下面から天井部２６に向けて略Ｕ字状の開口部２８を有している。また、開口部２８の側壁端面とは反対側の天井部２６側、即ち、上側縁部には、側壁２５ａの表面よりも収容部２７側に位置する表面を有する仕切板２９が設けられており、この仕切板２９は、軸部４１と接触して引手１２を回動自在に保持する。また、開口部２８の前壁（周壁）の前方側には、後述するスライダー側規制部３０が形成されている。
【００１５】
また、スライドファスナー用スライダー１０の組み立てとしては、凹溝２２に引手１２の軸部４１が挿入され、軸部４１を上方から囲うようにして停止爪１３がスライダー胴体１４に配置され、さらに、引手１２の軸部４１と停止爪１３の全体を覆うようにしてカバー体１５が被せられる。そして、カバー体１５は、側壁２５ａの前後のかしめ部２５ｄが幅方向内側に押圧されることで、前後取付柱２０，２１の溝２０ａ，２１ａにかしめ固定されてスライダー胴体１４に取り付けられる。これにより、引手１２は、軸部４１を中心としてスライダー本体１１に回動自在に取り付けられる。
【００１６】
引手１２は、図２〜図４に示すように、軸部４１と、一端が軸部４１に連結される一対の連結杆４２と、一対の連結杆４２の他端に連結される掴み部４３と、を有し、軸部４１、一対の連結杆４２、及び掴み部４３により、略矩形状の引手開口部４４が画成される。
【００１７】
また、軸部４１の軸方向中央には、カム部４５が引手開口部４４に向けて延設されている。そして、カム部４５は、カム面４５ａを有しており、このカム面４５ａは、その始点ＳＰとなる上面側から、終点ＥＰとなる下面側にかけて、軸部４１の軸中心Ｏからの距離Ｒが次第に大きくなるように形成されている。また、カム面４５ａは、後述するばね部３２と協働して、引手１２を平伏状態に戻す方向に付勢する。
【００１８】
また、図２及び図４に示すように、カム部４５の両側であって、軸部４１と連結杆４２とが連結する引手開口部４４側の内角部には、引手側規制部４７が、引手開口部４４に向けて延設されている。引手側規制部４７は、カバー体１５のスライダー側規制部３０と共に、規制部を構成し、引手側規制部４７がスライダー側規制部３０に当接することによって、引手１２の過度の回動を防止する。
【００１９】
上述した引手１２は、カム部４５が後述するばね部３２に接触可能な位置とし、引手側規制部４７がスライダー側規制部３０に接触可能な位置とし、カム部４５とスライダー側規制部３０との間の軸部４１に仕切板２９が入り込むようにスライダー胴体１４にカバー体１５によって保持されることとなる。
【００２０】
停止爪１３は、例えば、銅合金、あるいはステンレスなどの金属材料で製作されており、図１に示すように、ばね部３２と一体の部材として形成されている。停止爪１３は、先端に形成される爪部１３ａと、爪部１３ａから図中の右上方に屈曲し、全体として略ヘの字状に延設される１本の第１脚部１３ｂとから構成される。ばね部３２は、爪部１３ａから第１脚部１３ｂとは分岐し、第１脚部１３ｂよりも屈曲し、第１脚部１３ｂの両側から延設した一対の第２脚部３２ａ，３２ｂを有する。第２脚部３２ａ，３２ｂは、第１脚部１３ｂより低く延設されている。第２脚部３２ａ，３２ｂの先端部は、下方へ屈曲しており、先端で第２脚部３２ａ，３２ｂ同士は連結している。
【００２１】
停止爪１３の爪部１３ａは、スライダー胴体１４の爪孔３５に挿入され、エレメント案内路２４に出没自在である。また、第１脚部１３ｂは、その先端がガイド溝２６ａに挿入された状態でカバー体１５の天井部２６の裏面に当接する（図６参照）。そして、爪部１３ａは、引手１２が引かれると（起立状態）、エレメント案内路２４から脱出してスライダー１０の移動を許容し、引手１２が倒されると（平伏状態）、エレメント案内路２４に突入すると共に、エレメント案内路２４内に存在する不図示のファスナーエレメント間に突入して、スライダー１０の移動を阻止する。
【００２２】
ばね部３２である左右一対の第２脚部３２ａ，３２ｂによって画成される開口部のうち、先端側がロの字状に大きく開口しており、前取付柱２０の上面であって前方側端部中央に設けられる突起部２０ｂに挿入、係合される。また、ばね部３２は、天井部２６の裏面に付勢する第１脚部１３ｂとの間に生じる弾性力によって、カム部４５を上翼板１６の上面側に押圧し、引手１２の平伏状態を保持する。
【００２３】
また、図５及び図６に示すように、引手１２が後口側に倒れた平伏状態では、引手１２のカム部４５の一部がスライダー胴体１４の凹部２３に入り込んで収容されると共に、カム部４５の上面がばね部３２によって上翼板１６の上面側に押圧されている。これにより、引手１２は、後口側に平伏する平伏状態に維持される。また、このとき、停止爪１３の爪部１３ａは、上翼板１６の爪孔３５を介してエレメント案内路２４に突入して、スライダー１０の移動を阻止する。
【００２４】
また、図７及び図８に示すように、平伏状態の引手１２が操作されて、軸部４１を中心に回動（図７中の時計回転方向）して起立状態になると、ばね部３２の弾性力に抗して、カム部４５のカム面４５ａによってばね部３２が上方に押し上げられる。これにより、停止爪１３の爪部１３ａは、エレメント案内路２４から脱出して、スライダー１０の移動を許容する。
【００２５】
このとき、ばね部３２の弾性力は、引手１２のカム面４５ａに作用しているので、引手１２は、常に引手１２が最初に平伏していた位置（本実施形態では後方側）に付勢されている。従って、引手１２を開放すると、引手１２は起立状態から反時計回転方向に回動して、後口側に平伏する平伏状態に戻される。ここで、仮に、ばね部３２とカム面４５ａとの接触位置が、カム面４５ａの終点ＥＰを越えてしまうと、引手は最初に平伏していた位置とは反対側、即ち、肩口側に平伏する状態となってしまうか、起立状態のまま、どちらの方向にも引手１２が倒れなくなってしまう。しかし、本実施形態では、ばね部３２とカム面４５ａとの接触位置が、カム面４５ａの始点ＳＰから終点ＥＰの範囲内に収まるように、引手１２の回動を阻止する規制部を備えている。よって、引手１２を、図８に示す起立状態から更に時計回転方向に回動させようとしても、引手１２の引手側規制部４７がスライダー側規制部３０に当接して、引手１２の回動を阻止する。
【００２６】
以上説明したように、本実施形態のスライドファスナー用スライダー１０によれば、ばね部３２と、引手１２がスライダー本体１１の後口側に平伏する平伏状態から起立状態に回動するとき、ばね部３２の弾性力により引手１２を平伏状態に戻す方向に付勢するカム部４５と、起立状態からの引手１２の更なる回動を阻止する引手側規制部４７及びスライダー側規制部３０と、を備え、スライダー本体１１の他方側に平伏することを阻止するため、引手１２の操作時を除いて、常に引手１２を後口側に平伏させた状態に保持することができる。また、引手１２が肩口側に倒れることを防止することができ、操作性を向上することができる。さらに、上記機能が簡素な構造によって達成されるため、スライダー１０を小型化及び軽量化することができると共に、スライダー１０を自動組立て装置で組み立てることが可能となる。
【００２７】
また、本実施形態のスライドファスナー用スライダー１０によれば、規制部は、引手１２に形成される引手側規制部４７と、スライダー本体１１に形成されるスライダー側規制部３０と、から構成され、引手側規制部４７とスライダー側規制部３０が当接することにより、引手１２の起立状態からの更なる回動を阻止するため、引手１２の過度の回動を確実に防止することができ、スライダー１０の操作性を向上することができる。
【００２８】
また、本実施形態のスライドファスナー用スライダー１０によれば、引手側規制部４７が引手１２の軸部４１に設けられるため、特別な規制部材を配設することなく、引手１２の過度の回動を防止することができる。
【００２９】
また、本実施形態のスライドファスナー用スライダー１０によれば、引手側規制部４７及びカム部４５が、軸部４１、連結杆４２、及び掴み部４３により画成される引手開口部４４に向けて延設されるため、引手１２を操作する際、引手側規制部４７及びカム部４５が操作の障害にならず、引手１２を容易に操作することができる。
【００３０】
また、本実施形態のスライドファスナー用スライダー１０によれば、スライダー側規制部３０及び引手側規制部４７は、ばね部３２とカム部４５との接触位置が、カム部４５のカム面４５ａの始点ＳＰから終点ＥＰの範囲内において、引手１２の回動を阻止するため、ばね部３２とカム部４５との接触位置が、カム面４５ａから外れることがない。これにより、カム面４５ａに作用するばね部３２の弾性力により、引手１２を後口側に平伏する平伏状態に確実に戻すことができる。
【００３１】
また、本実施形態のスライドファスナー用スライダー１０によれば、スライダー側規制部３０が、カバー体１５の開口部２８の周壁の前壁に形成されるため、特別な規制部材を配設することなく、引手１２の過度の回動を防止することができる。
【００３２】
また、本実施形態のスライドファスナー用スライダー１０によれば、平伏状態は、引手１２がスライダー本体１１の後口側に平伏する状態であり、引手側規制部４７は、平伏状態における引手１２の上面側に形成され、スライダー側規制部３０は、引手１２がスライダー本体１１の肩口方向に回動するとき、引手１２の上面に対向する位置に形成されるため、通常時、引手１２を後口側に平伏した状態に維持することができ、スライダー１０の操作性を向上することができる。
【００３３】
（第１変形例）
本実施形態の第１変形例として、引手１２は図９及び図１０に示す引手１２Ａであってもよい。この引手１２Ａは、その軸部４１の厚さｔが、上記引手１２より薄く形成されており、引手１２Ａの平伏状態において、引手１２Ａの軸部４１とばね部３２との間に、隙間Ｃが設けられている。即ち、引手１２Ａ（軸部４１）は、この隙間Ｃ分のガタがある状態で前後取付柱２０，２１間の凹溝２２に嵌合されている。しかし、本変形例では、カバー体１５の仕切板２９が軸部４１に接触、あるいは、軸部４１と仕切板２９との隙間がほぼ０となるように下方に延設されており、これにより、軸部４１のガタつきを防止している。つまり、本発明は、必ずしも引手１２がばね部３２によって押圧されている必要はなく、引手１２がフリーな状態において平伏状態を維持している構成であればよい。
【００３４】
（第２変形例）
本実施形態の第２変形例として、引手１２及びスライダー胴体１４は、図１１及び図１２に示す引手１２Ｂ及びスライダー胴体１４Ａであってもよい。この引手１２Ｂでは、引手側規制部４７Ｂが、軸部４１の連結杆４２から離間する位置に形成されている。また、スライダー胴体１４Ａでは、その前取付柱２０の上面の左右側縁に沿って凸状のスライダー側規制部２０ｃがそれぞれ形成されている。
【００３５】
そして、本変形例では、図１２に示すように、引手１２Ｂが平伏状態から起立状態に回動すると、引手１２Ｂの引手側規制部４７Ｂが、スライダー胴体１４Ａのスライダー側規制部２０ｃに当接して、引手１２Ｂの過度の回動を防止する。つまり、本発明の規制部の位置は限定されず、引手側規制部は、引手の一部、好ましくは、引手の軸部に形成されており、スライダー側規制部は、スライダー本体の一部に形成されていればよく、それはカバー体側であってもスライダー胴体側であってもよい。
【００３６】
（第２実施形態）
次に、図１３及び図１４を参照して、本発明に係るスライドファスナー用スライダーの第２実施形態について説明する。なお、第１実施形態と同一又は同等部分については、図面に同一符号を付してその説明を省略或いは簡略化する。
【００３７】
本実施形態のスライドファスナー用スライダー５０は、図１３及び図１４に示すように、スライダー本体５１と、引手１２と、停止爪１３及びばね部３２が一体に形成される板ばね５２とから構成されている。
【００３８】
スライダー本体５１は、上下方向に離間して並行に配置される上翼板１６及び下翼板１７と、両翼板１６，１７の左右側縁に沿って設けられる左右一対のフランジ１８と、両翼板１６，１７を肩口側の幅方向中央部において連結する案内柱１９と、上翼板１６の上面に突設される前後一対の前取付柱２０及び後取付柱２１と、を備える。なお、凹溝２２に引手１２の軸部４１が挿入された状態で前取付柱２０及び後取付柱２１に板ばね５２が取り付けられることによって、前取付柱２０、後取付柱２１、及び板ばね５２が引手取付部となる。また、本実施形態では、上翼板１６の上面には、前取付柱２０の左右両側面に隣接して、スライダー側規制部５３がそれぞれ立設されている。
【００３９】
板ばね５２は、一枚の板部材を略Ｕ字状に折り曲げることにより形成され、ばね部３２の先端部に停止爪１３が設けられ、停止爪１３の先端部に爪部１３ａが設けられている。また、板ばね５２は、前後一対の前取付柱２０及び後取付柱２１にかしめにより固定される。
【００４０】
ばね部３２は、略Ｕ字状の折り返し部３２ｅを境にして形成される上ばね部３２ｃと下ばね部３２ｄとからなる。また、下ばね部３２ｄは、中間部が略ヘの字状に形成されて、引手１２のカム部４５の上面に当接し、カム部４５を下方に押圧する。これにより、引手１２は、カム部４５に作用するばね部３２の弾性力によって、図１４中の反時計回転方向に回動するように付勢されている。
【００４１】
このように構成されたスライダー５０では、ばね部３２の弾性力が、常に引手１２のカム部４５に作用して、引手１２を図１４中の反時計回転方向に付勢しているので、引手１２は後口側に平伏する平伏状態に維持される。また、このとき、停止爪１３の爪部１３ａは、上翼板１６の爪孔３５を介してエレメント案内路２４に突入して、スライダー５０の移動を阻止する。
【００４２】
引手１２が操作されて、平伏状態から起立状態に回動されると、ばね部３２の弾性力に抗して、カム部４５のカム面４５ａによって下ばね部３２ｄが上方に押し上げられる。これにより、停止爪１３の爪部１３ａは、エレメント案内路２４から脱出して、スライダー５０の移動を許容する。
【００４３】
このとき、ばね部３２の弾性力は、引手１２のカム面４５ａに作用しているので、引手１２は、図１４中の反時計回転方向に付勢されている。従って、引手１２を開放すると、引手１２は起立状態から反時計回転方向に回動して、後口側に平伏する平伏状態に戻される。また、引手１２を、起立状態から更に時計回転方向に回動させようとすると、引手１２の引手側規制部４７がスライダー側規制部５３に当接して、引手１２の回動を阻止する。
その他の構成及び作用効果については、上記第１実施形態と同様である。
つまり、本発明のスライダーは、カバー体、スライダー胴体、引手、及び停止爪の４点によって構成されるだけではなく、既存の種々のスライダー、例えば、スライダー胴体５１、引手１２、及びカバー体と停止爪とばね部を兼用した板ばね５２の３点構成としても良い。
【００４４】
（第３実施形態）
次に、図１５及び図１６を参照して、本発明に係るスライドファスナー用スライダーの第３実施形態について説明する。なお、第１実施形態と同一又は同等部分については、図面に同一符号を付してその説明を省略或いは簡略化する。
【００４５】
本実施形態のスライドファスナー用スライダー６０は、図１５及び図１６に示すように、スライダー本体１１と、引手１２と、停止爪６１と、ばね部である板ばね６２とから構成されている。
【００４６】
停止爪６１は、スライダー胴体１４の前取付柱２０に係止される係止基部６１ａと、係止基部６１ａから後方に延び、板ばね６２の弾性力が上方から作用する本体部６１ｂと、本体部６１ｂの後端部から下方に延びる爪部６１ｃと、を有する。また、前取付柱２０の上面には、係止基部６１ａを係止させる係止凹部６３が形成されている。なお、凹溝２２に引手１２の軸部４１が挿入された状態で前取付柱２０及び後取付柱２１にカバー体１５が取り付けられることによって、前取付柱２０、後取付柱２１、及びカバー体１５が引手取付部となる。
【００４７】
板ばね６２は、停止爪６１の上方に配置される略長方形の板状部材であり、その長手方向両端部に、カバー体１５に係止される一対の突片６２ａがそれぞれ形成される。また、カバー体１５の天井部２６の内側面には、一対の突片６２ａを係止させる係止凸部６４が前後にそれぞれ形成されている。また、板ばね６２は、停止爪６１の本体部６１ｂの上面に当接し、停止爪６１を介して引手１２のカム部４５を下方に押圧する。これにより、引手１２は、停止爪６１を介してカム部４５に作用する板ばね６２の弾性力によって、図１６中の反時計回転方向に回動するように付勢されている。
【００４８】
このように構成されたスライダー６０では、板ばね６２の弾性力が、常に引手１２のカム部４５に作用して、引手１２を図１６中の反時計回転方向に付勢しているので、引手１２は後口側に平伏する平伏状態に維持される。また、このとき、停止爪６１の爪部６１ｃは、上翼板１６の爪孔３５を介してエレメント案内路２４に突入して、スライダー６０の移動を阻止する。さらに、引手１２の軸部４１は、停止爪６１を介して伝達される板ばね６２の弾性力により、上翼板１６の一部である前後取付柱２０，２１間の凹溝２２上に接触して、ガタのない状態で保持されている。
【００４９】
引手１２が操作されて、平伏状態から起立状態に回動されると、板ばね６２の弾性力に抗して、カム部４５のカム面４５ａによって停止爪６１が上方に押し上げられる。これにより、停止爪６１の爪部６１ｃは、エレメント案内路２４から脱出して、スライダー６０の移動を許容する。
【００５０】
このとき、板ばね６２の弾性力は、引手１２のカム面４５ａに作用しているので、引手１２は、図１６中の反時計回転方向に付勢されている。従って、引手１２を開放すると、引手１２は起立状態から反時計回転方向に回動して、後口側に平伏する平伏状態に戻される。また、引手１２を、起立状態から更に時計回転方向に回動させようとすると、引手１２の引手側規制部４７がカバー体１５のスライダー側規制部３０に当接して、引手１２の回動を阻止する。
その他の構成及び作用効果については、上記第１実施形態と同様である。
つまり、本発明のスライダーは、停止爪にばね部が一体的に形成されているだけではなく、停止爪とばね部が別体で構成されていてもよい。
【００５１】
（第４実施形態）
次に、図１７及び図１８を参照して、本発明に係るスライドファスナー用スライダーの第４実施形態について説明する。なお、第１実施形態と同一又は同等部分については、図面に同一符号を付してその説明を省略或いは簡略化する。
【００５２】
本実施形態のスライドファスナー用スライダー７０は、図１７及び図１８に示すように、スライダー本体７１と、引手１２Ｃと、停止爪１３及びばね部３２が一体に形成される板ばね７２とから構成されている。
【００５３】
引手１２Ｃは、軸部４１、一対の連結杆４２、及び掴み部４３を備え、軸部４１の軸方向中央には、カム部４５が引手開口部４４に向けて延設されている。また、本実施形態では、一対の連結杆４２自体に引手側規制部７３が設けられている。
【００５４】
スライダー本体７１は、上下方向に離間して並行に配置される上翼板１６及び下翼板１７と、両翼板１６，１７の左右側縁に沿って設けられる左右一対のフランジ１８と、両翼板１６，１７を肩口側の幅方向中央部において連結する案内柱１９と、上翼板１６の上面に立設され、引手１２Ｃの軸部４１を回動自在に保持する引手取付部である左右一対の引手取付柱７４と、板ばね７２を保持する収容溝７５と、収容溝７５の前端部に立設される左右一対のかしめ部７６と、を備える。また、本実施形態では、上翼板１６の上面には、左右一対の引手取付柱７４の幅方向外側面に隣接して、スライダー側規制部７７がそれぞれ立設されている。また、左右一対の引手取付柱７４は、図１８に示すように前後方向にかしめられることにより、引手１２Ｃを保持する。
【００５５】
板ばね７２は、一枚の板部材を折り曲げることにより形成され、ばね部３２の先端部に停止爪１３が設けられ、停止爪１３の先端部に爪部１３ａが設けられている。また、板ばね７２は、スライダー本体７１の左右一対のかしめ部７６を内側にかしめることにより、スライダー本体７１に固定される。
【００５６】
ばね部３２は、スライダー本体７１の収容溝７５に収容される基板部３２ｇと、基板部３２ｇの後端部から上方に延び且つ後方に延びるカバー部３２ｈと、を備える。そして、カバー部３２ｈは、引手１２Ｃのカム部４５の上面に当接し、カム部４５を下方に押圧する。これにより、引手１２Ｃは、カム部４５に作用するばね部３２の弾性力によって、図１８中の反時計回転方向に回動するように付勢されている。
【００５７】
このように構成されたスライダー７０では、ばね部３２の弾性力が、常に引手１２Ｃのカム部４５に作用して、引手１２Ｃを図１８中の反時計回転方向に付勢しているので、引手１２Ｃは後口側に平伏する平伏状態に維持される。また、このとき、停止爪１３の爪部１３ａは、上翼板１６の爪孔３５を介してエレメント案内路２４に突入して、スライダー７０の移動を阻止する。
【００５８】
引手１２Ｃが操作されて、平伏状態から起立状態に回動されると、ばね部３２の弾性力に抗して、カム部４５のカム面４５ａによってカバー部３２ｈが上方に押し上げられる。これにより、停止爪１３の爪部１３ａは、エレメント案内路２４から脱出して、スライダー７０の移動を許容する。
【００５９】
このとき、ばね部３２の弾性力は、引手１２Ｃのカム面４５ａに作用しているので、引手１２Ｃは、図１８中の反時計回転方向に付勢されている。従って、引手１２Ｃを開放すると、引手１２Ｃは起立状態から反時計回転方向に回動して、後口側に平伏する平伏状態に戻される。また、引手１２Ｃを、起立状態から更に時計回転方向に回動させようとすると、引手１２Ｃの引手側規制部７３（連結杆４２）がスライダー側規制部７７に当接して、引手１２Ｃの回動を阻止する。
その他の構成及び作用効果については、上記第１実施形態と同様である。
つまり、本発明のスライダーは、引手は前後取付柱とカバー体によってスライダー本体に回動自在に枢支されるだけではなく、左右一対の引手取付柱によってのみスライダー本体に回動自在に枢支されていてもよい。また、本発明のスライダーは、引手の軸部に引手側規制部を有しているのではなく、連結杆の一部が引手側規制部となってもよい。
【００６０】
その他、本発明のスライドファスナー用スライダーは、本件技術内容を超えない範囲で適時設計変更可能である。
例えば、上記実施形態では、引手１２のカム部４５はいずれも軸部４１に形成されているが、軸部４１にカム面を有していればよく、軸部４１自体を、例えば、楕円、長円、丸みを帯びた三角形、四角形、及び五角形などの湾曲を有する非真円形状としてもよい。
【符号の説明】
【００６１】
１０    スライドファスナー用スライダー
１１    スライダー本体
１２，１２Ａ，１２Ｂ，１２Ｃ    引手
１３    停止爪
１４，１４Ａ    スライダー胴体
１５    カバー体（引手取付部）
１６    上翼板
２０    前取付柱（引手取付部）
２０ｃ  スライダー側規制部
２１    後取付柱（引手取付部）
２７    収容部
２８    開口部
２９    仕切板
３０    スライダー側規制部
３２    ばね部
４１    軸部
４２    連結杆
４３    掴み部
４４    引手開口部
４５    カム部
４５ａ  カム面
４７    引手側規制部
４７Ｂ  引手側規制部
５０    スライドファスナー用スライダー
５１    スライダー本体
５２    板ばね
５３    スライダー側規制部
６０    スライドファスナー用スライダー
６１    停止爪
６２    板ばね（ばね部）
７０    スライドファスナー用スライダー
７１    スライダー本体
７４    引手取付柱（引手取付部）
７７    スライダー側規制部
７３    引手側規制部
７２    板ばね
ＳＰ    始点
ＥＰ    終点
【図１】
2012042620.tif 000003
【図２】
2012042620.tif 000004
【図３】
2012042620.tif 000005
【図４】
2012042620.tif 000006
【図５】
2012042620.tif 000007
【図６】
2012042620.tif 000008
【図７】
2012042620.tif 000009
【図８】
2012042620.tif 000010
【図９】
2012042620.tif 000011
【図１０】
2012042620.tif 000012
【図１１】
2012042620.tif 000013
【図１２】
2012042620.tif 000014
【図１３】
2012042620.tif 000015
【図１４】
2012042620.tif 000016
【図１５】
2012042620.tif 000017
【図１６】
2012042620.tif 000018
【図１７】
2012042620.tif 000019
【図１８】
2012042620.tif 000020
【国際調査報告】
2012042620.tif 000021
2012042620.tif 000022